(57)【要約】【課題】反射板側へ照射される光を用いて器具効率を改善することができる照明器具を提供する。【解決手段】平面らせん形蛍光ランプ２０から反射板３０側へ照射された光Ｌは、平面らせん形蛍光ランプ２０の中心ＣＰから外周側へ行くにつれて平面らせん形蛍光ランプ２０から離れる方向の傾斜面を有する反射板３０によって反射されるので、反射板３０からの反射光は、平面らせん形蛍光ランプ２０より外側へ照射される。これにより、照明器具１０の取付部である天井１１等の近傍まで照明することができ、照明空間の全体が明るく感じて、器具効率が向上する。また、反射板３０からの反射光が平面らせん形蛍光ランプ２０に当たらないので、平面らせん形蛍光ランプの温度上昇を抑えることができる。【選択図】図３
2010009764.tif 000002
【特許請求の範囲】
【請求項１】
平面らせん形状をした発光管を有する平面らせん形蛍光ランプと、前記平面らせん形蛍光ランプを駆動させる点灯装置と、前記平面らせん形蛍光ランプの光線を反射する反射板と、前記平面らせん形蛍光ランプ及び前記点灯装置及び前記反射板を保持する器具本体と、を備えた照明器具であって、
前記反射板が、前記平面らせん形蛍光ランプの中心から外周側へ行くにつれて前記平面らせん形蛍光ランプから離れる傾斜面を有することを特徴とする照明器具。
【請求項２】
前記反射板の中央部は平面状であることを特徴とする請求項１記載の照明器具。
【請求項３】
前記反射板の傾斜面が、曲面であることを特徴とする請求項１または２記載の照明器具。
【請求項４】
平面らせん形状をした発光管を有する平面らせん形蛍光ランプと、前記平面らせん形蛍光ランプを駆動させる点灯装置と、前記平面らせん形蛍光ランプの光線を反射する反射板と、前記平面らせん形蛍光ランプ及び前記点灯装置及び前記反射板を保持する器具本体と、を備えた照明器具であって、
前記反射板が、中央側の第１反射板と、前記第１反射板の外側に所定の大きさの隙間を介して取り付けられた第２反射板とを有し、
前記第１反射板によって反射された反射光が、前記隙間から前記第２反射板の裏面側へ照射されることを特徴とする照明器具。
【請求項５】
前記第１反射板と前記第２反射板とが連続して設けられており、前記第１反射板によって反射した反射光が、さらに前記第２の反射板により反射することを特徴とする請求項４に記載の照明器具。
【発明の詳細な説明】
【技術分野】
【０００１】
本発明は、平面らせん形状をした発光管を有する平面らせん形蛍光ランプに関するものである。
【背景技術】
【０００２】
従来より、平面らせん形蛍光ランプを用いる照明器具が知られている（例えば特許文献１参照）。
特許文献１に記載の照明器具においては、照明器具全体の小型化を図るとともに、円形の蛍光ランプにおいて発光しない中央スペースによる輝度ムラの発生を防止するために、一連の屈曲ガラス管からなる放電路が、管中央部を中心として略一平面上で渦巻状に旋回された二重渦巻き形状の平面らせん形蛍光ランプを用いている。
【特許文献１】特開２００７−３８５６３号公報（第２図）
【発明の開示】
【発明が解決しようとする課題】
【０００３】
しかしながら、前述した特許文献１に記載の照明器具では、反射板が平面状であるため、平面らせん形蛍光ランプから反射板方向へ発せられた光は、反射板により反射して、平面らせん形蛍光ランプ自身に照射されるため、器具効率が悪いという問題があった。また、平面らせん形蛍光ランプの温度が上昇するので、照明器具全体の温度も上昇するという問題があった。
【０００４】
本発明は、従来の問題を解決するためになされたもので、反射板側へ照射される光を用いて器具効率を改善することができる照明器具を提供することを目的とする。
【課題を解決するための手段】
【０００５】
本発明の照明器具は、平面らせん形状をした発光管を有する平面らせん形蛍光ランプと、前記平面らせん形蛍光ランプを駆動させる点灯装置と、前記平面らせん形蛍光ランプの光線を反射する反射板と、前記平面らせん形蛍光ランプ及び前記点灯装置及び前記反射板を保持する器具本体と、を備えた照明器具であって、前記反射板が、前記平面らせん形蛍光ランプの中心から外周側へ行くにつれて前記平面らせん形蛍光ランプから離れる傾斜面を有する構成を有している。
【０００６】
この構成により、平面らせん形蛍光ランプから反射板側へ照射された光は、平面らせん形蛍光ランプの中心から外周側へ行くにつれて平面らせん形蛍光ランプから離れる方向の傾斜面を有する反射板によって反射されるので、反射板からの反射光は、平面らせん形蛍光ランプより外側へ照射される。これにより、照明器具の取付部である天井等の近傍まで照明することができ、照明空間の全体が明るく感じて、器具効率が向上する。また、反射板からの反射光が平面らせん形蛍光ランプに当たらないので、平面らせん形蛍光ランプの温度上昇を抑えることができる。
【０００７】
また、本発明の照明器具は、前記反射板の中央部は平面状である構成を有している。
【０００８】
この構成により、中央部に傾斜面を形成しないので器具本体の厚さを小さくすることができ、照明器具のコンパクト化を図ることができる。
【０００９】
また、本発明の照明器具は、前記反射板の傾斜面が、曲面である構成を有している。
【００１０】
この構成により、反射板の傾斜面の曲率を変えることにより、反射光の向きを変えることができる。
【００１１】
また、本発明の照明器具は、平面らせん形状をした発光管を有する平面らせん形蛍光ランプと、前記平面らせん形蛍光ランプを駆動させる点灯装置と、前記平面らせん形蛍光ランプの光線を反射する反射板と、前記平面らせん形蛍光ランプ及び前記点灯装置及び前記反射板を保持する器具本体と、を備えた照明器具であって、前記反射板が、中央側の第１反射板と、前記第１反射板の外側に所定の大きさの隙間を介して取り付けられた第２反射板とを有し、前記第１反射板によって反射された反射光が、前記隙間から前記第２反射板の裏面側へ照射される構成を有している。
【００１２】
この構成により、反射板を、中央側に第１反射板を設け、この第１反射板の外側に所定の間隔を介して第２反射板を設けたので、第１反射板によって反射された反射光は、隙間から第２反射板の裏面側へ照射される。このため、照明器具の取付部である天井等の近傍まで照明することができ、照明空間の全体が明るく感じて、器具効率が向上する。また、各反射板からの反射光が平面らせん形蛍光ランプに当たらないので、平面らせん形蛍光ランプの温度上昇を抑えることができる。
【００１３】
さらに、本発明の照明器具は、前記第１反射板と前記第２反射板とが連続して設けられており、前記第１反射板によって反射した反射光が、さらに前記第２の反射板により反射する構成を有している。
【００１４】
この構成により、第１反射板と第２反射板とが連続して設けられているので、第１反射板によって反射した反射光は、さらに第２の反射板によって反射する。
【発明の効果】
【００１５】
本発明は、平面らせん形蛍光ランプから反射板側へ照射された光は、平面らせん形蛍光ランプの中心から外周側へ行くにつれて平面らせん形蛍光ランプから離れる方向の傾斜面を有する反射板によって反射されるので、反射板からの反射光は、平面らせん形蛍光ランプより外側へ照射される。これにより、照明器具の取付部である天井等の近傍まで照明することができ、照明空間の全体が明るく感じて、器具効率が向上する。また、反射板からの反射光が平面らせん形蛍光ランプに当たらないので、平面らせん形蛍光ランプの温度上昇を抑えることができるという効果を有する照明器具を提供することができるものである。
【発明を実施するための最良の形態】
【００１６】
以下、本発明の実施の形態の照明器具について、図面を用いて説明する。
図１は本発明の第１実施形態にかかる照明器具の分解斜視図、図２（ａ）は平面らせん形蛍光灯の平面図、図２（ｂ）は平面らせん形蛍光ランプの側面図である。
【００１７】
図１に示すように、本発明にかかる照明器具１０は、被取付部としての例えば天井１１に取り付けられる円板状のベースプレート１２と、このベースプレート１２の下面１２ａに取り付けられる本体ケース１３とで器具本体１４を構成しており、器具本体１４には、透明または半透明の樹脂性の透過カバー１７が着脱可能に取り付けられている。なお、器具本体１４には点灯装置１８が収納されている。
【００１８】
本体ケース１３の頂面（下面）１３ａの外周部には、一対のランプソケット１５，１５が設けられており、ランプソケット１５の近傍には、平面らせん形蛍光ランプ２０を保持するための一対のランプ保持バネ１６、１６が設けられている。
【００１９】
図２に示すように、平面らせん形蛍光ランプ２０は、一連の屈曲ガラス管からなる発光管２１が、管中央部２１ａを中心として略一平面上で渦巻状に旋回された二重渦巻き形状となっている。発光管２１の両端部には口金２２が設けられており、口金２２には上下一対のランプピン２３，２３が、突出して設けられている。このランプピン２３をランプソケット１５に装着することにより、駆動電力を得ることができる。また、両口金２２、２２間には、発光管２１を保持するブリッジ２４が設けられている。
【００２０】
本体ケース１３の頂面１３ａの中央部は、平面らせん形蛍光ランプ２０から上方へ照射される光を反射する反射板３０となっている。この反射板３０は、平面らせん形蛍光ランプ２０の中心である管中央部２０ａから外周側へ行くにつれて、平面らせん形蛍光ランプ２０から離れる傾斜面を有している。
【００２１】
以上、説明した本発明の第１実施形態にかかる照明器具１０によれば、平面らせん形蛍光ランプ２０から反射板３０側へ照射された光は、平面らせん形蛍光ランプ２０の中心ＣＰから外周側へ行くにつれて平面らせん形蛍光ランプ２０から離れる方向の傾斜面を有する反射板３０によって反射されるので、反射板３０からの反射光は、平面らせん形蛍光ランプ２０より外側へ照射される。これにより、照明器具１０の取付部である天井１１等の近傍まで照明することができ、照明空間の全体が明るく感じて、器具効率が向上する。また、反射板３０からの反射光が平面らせん形蛍光ランプ２０に当たらないので、平面らせん形蛍光ランプの温度上昇を抑えることができる。
【００２２】
以下に、反射板３０の具体的な実施例を示す。なお、図中、透過カバー１７は省略している。
【００２３】
（実施例−１）
図３に示す反射板３０Ａでは、中心ＣＰで最も平面らせん形蛍光ランプ２０に接近しており、外周縁に向かうに従って平面らせん形蛍光ランプ２０から直線的に遠ざかる傾斜面を有している。すなわち、反射板３０Ａの反射面は、全体円錐形状をしている。
【００２４】
従って、平面らせん形蛍光ランプ２０から反射板３０Ａ方向（すなわち、上方）へ照射された光Ｌ１は、反射板３０Ａに当たって、平面らせん形蛍光ランプ２０の外側へ反射される。これにより、光Ｌ１は、従来のように平面らせん形蛍光ランプ２０に当たらずに、広い範囲に照射されるので、器具効率を改善することができる。
【００２５】
（実施例−２）
図４に示す反射板３０Ｂでは、中心部３１は平坦面であり、中心部３１の外側には、外周縁に向かうに従って平面らせん形蛍光ランプ２０から直線的に遠ざかる傾斜面を有している。すなわち、反射板３０Ｂの反射面は、全体円錐台形状をしている。
【００２６】
従って、平面らせん形蛍光ランプ２０から反射板３０Ｂ方向（すなわち、上方）へ照射された光Ｌ２は、中心部３１の外側においては、反射板３０Ｂに当たって、平面らせん形蛍光ランプ２０の外側へ反射される。これにより、光Ｌ２は、従来のように平面らせん形蛍光ランプ２０に当たらずに、広い範囲に照射されるので、器具効率を改善することができる。また、中心部３１を平坦面としたことにより、反射板３０Ｂを平面らせん形蛍光ランプ２０に近づけることができ、器具本体１４の厚さを小さくして、コンパクト化することができる。
【００２７】
（実施例−３）
図５に示す反射板３０Ｃでは、中心ＣＰで最も平面らせん形蛍光ランプ２０に接近しており、外周縁に向かうに従って平面らせん形蛍光ランプ２０から遠ざかる傾斜面を有している。傾斜面は、図５中上に凸の曲線状をしている。なお、曲線としては、一定の曲率を有するもの（すなわち、円）であっても良いし、中心から外周縁に向かうに従って曲率が変化するものであっても良い。曲率が変化する場合には、中心側で曲率が大きく、外周側で曲率が小さい曲線が望ましい。
【００２８】
従って、平面らせん形蛍光ランプ２０から反射板３０Ｃ方向（すなわち、上方）へ照射された光Ｌ３は、中心ＣＰ近くでは、曲率が大きく、傾斜角度が大きな反射板３０Ｃに当たって、平面らせん形蛍光ランプ２０の外側へ反射される。これにより、光Ｌ３は、従来のように平面らせん形蛍光ランプ２０に当たらずに、広い範囲に照射されるので、器具効率を改善することができる。
【００２９】
（実施例−４）
図６に示す反射板３０Ｄでは、中心ＣＰで最も平面らせん形蛍光ランプ２０に接近しており、外周縁に向かうに従って平面らせん形蛍光ランプ２０から遠ざかる傾斜面を有している。傾斜面は、図６中下に凸の曲線状をしている。なお、曲線としては、一定の曲率を有するもの（すなわち、円）であっても良いし、中心から外周縁に向かうに従って曲率が変化するものであっても良い。曲率が変化する場合には、中心側で曲率が大きく、外周側で曲率が小さい曲線が望ましい。
【００３０】
従って、平面らせん形蛍光ランプ２０から反射板３０Ｃ方向（すなわち、上方）へ照射された光Ｌ４は、中心ＣＰ近くでは、曲率が大きく傾斜角度が大きな反射板３０Ｄに当たって、平面らせん形蛍光ランプ２０の外側へ反射される。これにより、光Ｌ４は、従来のように平面らせん形蛍光ランプ２０に当たらずに、広い範囲に照射されるので、器具効率を改善することができる。
【００３１】
次に、本発明の第２実施形態について説明する。なお、前述した第１実施形態にかかる照明器具と共通する部位には同じ符号を付して、重複する説明を省略することとする。
【００３２】
（実施例−５）
図７に示すように、第２実施形態にかかる照明器具１０Ｂでは、反射板３０Ｅが、中央側の第１反射板３２と、この第１反射板３２の外側に所定の隙間３３を介して取り付けられた第２反射板３４とから構成されている。第１の反射板３２は、第１実施形態において前述した反射板３０と同様に、平面らせん形蛍光ランプ２０の中心ＣＰから外周側へ行くにつれて、平面らせん形蛍光ランプ２０から離れる方向に傾斜面を有するものが望ましい。また、第２反射板３４は、第１反射板３２とは逆の傾斜を有するものが望ましい。
【００３３】
従って、平面らせん形蛍光ランプ２０から第１反射板３２に照射された光Ｌ５１は、第１反射板３２よって反射されて、隙間３３を通って平面らせん形蛍光灯２０の外側へ向かい、第２反射板３４の裏面側を照射する。また、平面らせん形蛍光ランプ２０から隙間３３方向へ照射された光Ｌ５２は、隙間３３を通って、天井１１を照射する。さらに、平面らせん形蛍光ランプ２０の外周面側から照射された光Ｌ５３は、第２反射板３４によって反射されて下方を照射する。
【００３４】
これにより、照明器具１０Ｂの取付部である天井１１等の近傍まで照明することができ、照明空間の全体が明るく感じて、器具効率が向上する。また、各反射板３２、３４からの反射光Ｌ５１〜Ｌ５３が平面らせん形蛍光ランプ２０に当たらないので、平面らせん形蛍光ランプ２０の温度上昇を抑えることができる。
【００３５】
次に、本発明の第３実施形態について説明する。なお、前述した第１および第２実施形態にかかる照明器具と共通する部位には同じ符号を付して、重複する説明を省略することとする。
【００３６】
（実施例−６）
図８に示すように、第３実施形態にかかる照明器具１０Ｃは、前述した第２実施形態にかかる照明器具１０Ｂで用いた反射板３０Ｅに、隙間３３を設けていない。すなわち、第１反射板３２の外周端に連続して第２反射板３４を設けたものである。
【００３７】
従って、平面らせん形蛍光ランプ２０から第１反射板３２に照射された光Ｌ６１は、第１反射板３２よって反射されて、平面らせん形蛍光灯２０の外側へ向かい、第２反射板３４よって反射して下方を照射する。また、平面らせん形蛍光ランプ２０の中央部から第２反射板３４に照射された光Ｌ６２は、第２反射板３４によって反射して下方を照射する。さらに、平面らせん形蛍光ランプ２０の外周面側から照射された光Ｌ６３は、第２反射板３４によって反射されて下方を照射する。
【００３８】
これにより、照明器具１０Ｃの平面らせん形蛍光ランプ２０からの照射光Ｌ６１〜Ｌ６３は、各反射板３２、３４によって反射し、平面らせん形蛍光ランプ２０に当たらないので、平面らせん形蛍光ランプ２０の温度上昇を抑えることができるとともに、器具効率を向上させることができる。
【００３９】
なお、本発明の照明器具は、前述した各実施形態に限定されるものでなく、適宜な変形，改良等が可能である。
【図面の簡単な説明】
【００４０】
【図１】本発明の第１実施形態にかかる照明器具の分解斜視図
【図２】（ａ）は平面らせん形蛍光灯の平面図、図２（ｂ）は平面らせん形蛍光ランプの側面図
【図３】実施例−１の説明図
【図４】実施例−２の説明図
【図５】実施例−３の説明図
【図６】実施例−４の説明図
【図７】実施例−５の説明図
【図８】実施例−６の説明図
【符号の説明】
【００４１】
１０  照明器具
１４  器具本体
１８  点灯装置
２０  平面らせん形蛍光ランプ
２１  発光管
３０  反射板
３２  第１反射板
３３  隙間
３４  第２反射板
ＣＰ  中心
【図１】
2010009764.tif 000003
【図２】
2010009764.tif 000004
【図３】
2010009764.tif 000005
【図４】
2010009764.tif 000006
【図５】
2010009764.tif 000007
【図６】
2010009764.tif 000008
【図７】
2010009764.tif 000009
【図８】
2010009764.tif 000010